(57)【要約】【課題】上蓋の脱着作業を迅速かつ容易に行うことができるように構成されたパレットボックスを提供する。【解決手段】パレットボックスは、フォーク挿入孔を備えたパレットと、そのパレットの載置部周縁に着脱可能に立設される四角筒状のスリーブ１４と、そのスリーブ１４の上部開口部を着脱可能に閉鎖する有蓋四角筒状の上蓋１５とから四角箱状に形成されている。このパレットボックスは、スリーブ１４の各コーナ部が上蓋１５のコーナ部に固着される一方で、コーナ部間に位置するスリーブ１４の上端縁が上蓋１５に対して水平方向に所定幅移動可能となっている。上蓋１５の各コーナ部には当接凸部６１が突設され、それら当接凸部６１の先端には側板４２よりも上蓋１５の内方側に突出した傾斜面６２が設けられている。周縁部密リブ構造５２を構成する補強リブ５１の両端部下端縁には係合凸部５４が垂下されている。【選択図】　　　図１
2004010127.tif 000002
【特許請求の範囲】
【請求項１】
パレットと、そのパレットの載置部周縁に着脱可能に立設される四角筒状のスリーブと、そのスリーブの上部開口部を着脱可能に閉鎖する上蓋とを備えたパレットボックスであって、
前記スリーブの各コーナ部を上蓋に対して固着させるとともに、コーナ部間に位置するスリーブの上端縁が上蓋に対して水平方向に所定幅移動可能となるように構成したことを特徴とするパレットボックス。
【請求項２】
前記上蓋を、四角板状の天板と、その天板の周縁に沿って垂下された対向する各一対の側板とを備えた有蓋四角筒状に形成するとともに、
上蓋の各コーナ部に前記スリーブのコーナ部外側面と当接するように構成した当接部を設け、それら当接部の内端部を側板よりも上蓋の内方側に突出した位置に設けたことを特徴とする請求項１に記載のパレットボックス。
【請求項３】
前記当接部の内端部を、上方ほど上蓋の内方側へと突出するように形成したことを特徴とする請求項２に記載のパレットボックス。
【請求項４】
前記上蓋の周縁部下面に、前記コーナ部間に位置するスリーブの上端縁と係合可能となるように構成された係合部を設けたことを特徴とする請求項１から請求項３のいずれかに記載のパレットボックス。
【請求項５】
前記上蓋の下面に縦横に延びる複数の補強リブを垂下させ、同上蓋の周縁部には隣接する補強リブ間の間隔を狭めた周縁部密リブ構造を形成するとともに、
前記周縁部密リブ構造を構成する補強リブの下端縁に、前記コーナ部間に位置するスリーブの上端縁と係合可能となるように構成された係合凸部を垂下させたことを特徴とする請求項１から請求項４のいずれかに記載のパレットボックス。
【発明の詳細な説明】
【０００１】
【発明の属する技術分野】
この発明は、フォーク挿入孔を備えたパレットと、そのパレットの載置部周縁に着脱可能に立設される四角筒状のスリーブと、そのスリーブの上部開口部を着脱可能に閉鎖する上蓋とを備えたパレットボックスに関するものである。より詳しくは、パレット、スリーブ及び上蓋とから四角箱状に形成することができるとともに、不使用時にはスリーブを平板状に折り畳むことにより小さくコンパクトに収納することができるように構成されたパレットボックスに関するものである。さらに詳しくは、スリーブに対する上蓋の着脱作業を容易かつ迅速に行うことができるように構成されたパレットボックスに関するものである。
【０００２】
【従来の技術】
従来より、この種のパレットボックスとしては、登録実用新案第３０１６６３１号公報に開示されている衣類輸送用ハンガーコンテナーが知られている。このハンガーコンテナーは、段ボール製で折り畳み可能に形成した上下開口（四角筒状）の胴体と、その胴体の上下開口部に着脱自在に取り付けられ、該上下開口部を塞ぐ樹脂製のトップ及びパレットとを備えている。前記トップとパレットとは、上下が逆に配置される以外は同一の形状及び構造に成形されているうえ、その周縁部には胴体の上下開口部（上下端縁）を挟持状に差し込み係止するための溝が全周に渡って設けられている。そして、このハンガーコンテナーは、パレットの外周縁に沿って設けられた溝内に胴体の下端縁を差し込み係止させるとともに、該胴体の上端縁をトップの外周縁に沿って設けられた溝内に差し込み係止させることによって四角箱状に組立てられる。
【０００３】
【発明が解決しようとする課題】
ところが、前記従来のハンガーコンテナーでは、胴体の上部開口部にトップを取り付ける際に、トップの周縁部全体に渡って設けられた溝内に胴体の上端縁全体を同時に差し込まなければならなかったが、その差し込み作業は極めて煩雑で時間がかかるものであった。特に、折り畳み可能に構成された胴体を四角筒状に組立てる際に、全てのコーナ部を同時に直角（平面Ｌ字状）に整えるのは非常に難しく、一方のコーナ部を直角に整えたときにはその他のコーナ部が歪んでしまうおそれが高く、思うようには作業が捗らないものである。
【０００４】
この発明は、上記のような従来技術に存在する問題点に着目してなされたものである。その目的とするところは、上蓋の脱着作業を迅速かつ容易に行うことができるように構成されたパレットボックスを提供することにある。
【０００５】
【課題を解決するための手段】
上記の目的を達成するために、請求項１に記載の発明のパレットボックスは、パレットと、そのパレットの載置部周縁に着脱可能に立設される四角筒状のスリーブと、そのスリーブの上部開口部を着脱可能に閉鎖する上蓋とを備えたパレットボックスであって、前記スリーブの各コーナ部を上蓋に対して固着させるとともに、コーナ部間に位置するスリーブの上端縁が上蓋に対して水平方向に所定幅移動可能となるように構成したことを特徴とするものである。
【０００６】
請求項２に記載の発明のパレットボックスは、請求項１に記載の発明において、前記上蓋を、四角板状の天板と、その天板の周縁に沿って垂下された対向する各一対の側板とを備えた有蓋四角筒状に形成するとともに、上蓋の各コーナ部に前記スリーブのコーナ部外側面と当接するように構成した当接部を設け、それら当接部の内端部を側板よりも上蓋の内方側に突出した位置に設けたことを特徴とするものである。
【０００７】
請求項３に記載の発明のパレットボックスは、請求項２に記載の発明において、前記当接部の内端部を、上方ほど上蓋の内方側へと突出するように形成したことを特徴とするものである。
【０００８】
請求項４に記載の発明のパレットボックスは、請求項１から請求項３のいずれかに記載の発明において、前記上蓋の周縁部下面に、前記コーナ部間に位置するスリーブの上端縁と係合可能となるように構成された係合部を設けたことを特徴とするものである。
【０００９】
請求項５に記載のパレットボックスは、請求項１から請求項４のいずれかに記載の発明において、前記上蓋の下面に縦横に延びる複数の補強リブを垂下させ、同上蓋の周縁部には隣接する補強リブ間の間隔を狭めた周縁部密リブ構造を形成するとともに、前記周縁部密リブ構造を構成する補強リブの下端縁に、前記コーナ部間に位置するスリーブの上端縁と係合可能となるように構成された係合凸部を垂下させたことを特徴とするものである。
【００１０】
【発明の実施の形態】
以下、この発明を具体化した実施形態を図面に基づいて詳細に説明する。
図２に示すように、実施形態のパレットボックス１１は、パレット１２と、そのパレット１２の載置部１３周縁に着脱可能に立設される四角筒状のスリーブ１４と、そのスリーブ１４の上部開口部を着脱可能に閉鎖する合成樹脂製の上蓋１５とから構成されている。このパレットボックス１１は、スリーブ１４及び上蓋１５により、パレット１２の載置部１３上に載置される載置物の周囲を被覆して、運搬途中で載置物が荷崩れしたりするのを防止するために用いられる。また、図５に示すように、複数のパレットボックス１１を上下に積み重ねることもできるように構成されている。
【００１１】
図２、図５及び図６に示すように、パレット１２は、合成樹脂により略四角板状に一体成形されている。このパレット１２は、四角板状に形成された上面デッキ２１と、その上面デッキ２１の下面から垂下された桁としての長四角柱状の隅部桁２２及び中央桁２３とを備え、片面使用２方差しのスキッドタイプ（単面型）の構成を有している。
【００１２】
上面デッキ２１の上面には、パレット１２上に載置物を載置するための載置部１３が設けられている。隅部桁２２は上面デッキ２１の対向する一対の側縁に沿って設けられ、中央桁２３は上面デッキ２１の中央部下面、即ち前記一対の隅部桁２２間の中央位置に設けられている。そして、これら隣接する隅部桁２２と中央桁２３との間には、フォークリフト又はハンドリフトのフォークを挿入するためのフォーク挿入孔２４が設けられている。また、載置部１３の外周縁には、長四角板状に形成された複数の係止板２７が所定間隔をおいて立設されている。
【００１３】
スリーブ１４は、段ボールにより構成されている。このスリーブ１４は、長四角板状に形成された１枚の段ボール板を所定位置で折曲げることによって、図２及び図５に示されるように対向する各一対の側壁３１を備えた四角筒状に組立てられるとともに、図６に示されるように平板状に小さくコンパクトに折り畳むことができるように構成されている。
【００１４】
図２に示すように、上蓋１５は、射出成形法又はプレス成形法により一体成形されている。この上蓋１５は、四角板状に形成された天板４１と、その天板４１の周縁から垂下された各一対の側板４２とから有蓋四角筒状に形成されている。さらに、各側板４２は、下方ほど僅かに上蓋１５の外方側に突出するように、即ち下方ほど僅かに拡がるテーパ形状に形成されている。
【００１５】
天板４１の上面周縁部には、係止突部としてのコーナ部突部４４及び側縁部突部４５が突設されている。コーナ部突部４４は天板４１の各コーナ部上面に平面略Ｌ字状となるように形成されており、側縁部突部４５は天板４１の各側縁中央に平面長四角形状となるように形成されている。また、上蓋１５の各コーナ部には、天板４１のコーナ部上面を平面Ｌ字状となるように凹設することによって形成されたコーナ部凹部４６が設けられている。
【００１６】
なお、前記コーナ部突部４４及び側縁部突部４５に取り囲まれた天板４１の上面は、パレット１２の桁２２，２３を載置するための桁載置部４７となっている。この桁載置部４７は、上蓋１５を構成する天板４１の中央部上面に設けられているうえ、同一高さの平坦面によって平面「田」字状に形成されている。
【００１７】
図１及び図３に示すように、天板４１の下面には、縦横に格子状に延びる多数の補強リブ５１が垂下されているうえ、隣接する補強リブ５１間の間隔が狭くなるように形成された密リブ構造としての周縁部密リブ構造５２及び中央部密リブ構造５３が設けられており、天板４１の強度を高めている。前記補強リブ５１は、天板４１の下面全体に渡って設けられている。また、前記密リブ構造５２，５３は、天板４１の中央部に設けられた隣接する補強リブ５１間の間隔ｄ１，Ｄ１（この図１では間隔ｄ１とＤ１とは同じ長さで描かれている）よりも狭い間隔で、隣接する補強リブ５１同士が設けられた構造である。さらに、これら密リブ構造５２，５３としては、隣接する補強リブ５１間の間隔が前記間隔ｄ１，Ｄ１の半分以下であるのが好ましい。
【００１８】
周縁部密リブ構造５２は、天板４１の各側縁（周縁）に沿って形成されており、天板４１全体では４つの周縁部密リブ構造５２が底面四角環状となるように配置されている。この周縁部密リブ構造５２において、隣接する補強リブ５１間の間隔ｄ２，Ｄ２は、いずれも前記間隔ｄ１，Ｄ１のおよそ半分となるように構成されている。中央部密リブ構造５３は、天板４１の対向する両側縁中央部間又は両端縁中央部間を繋ぐように構成されており、天板４１全体では互いに交差する一対（２つ）の中央部密リブ構造５３が底面十字状となるように配置されている。この中央部密リブ構造５３において、隣接する補強リブ５１間の間隔ｄ３，Ｄ３は、いずれも前記間隔ｄ１，Ｄ１のおよそ４分の１となるように構成されている。
【００１９】
上蓋１５の各コーナ部下面には、各周縁部密リブ構造５２を構成する複数本（各４本ずつ）の補強リブ５１のうち中央部に位置する２本の補強リブ５１の両端部下端縁に係合凸部５４が垂下されている。これら係合凸部５４はいずれも側板４２から所定間隔ｄ１１離間した位置に設けられており、側板４２と係合凸部５４との間に位置する補強リブ５１の下端縁に前記スリーブ１４の上端縁が当接されるように構成されている。なお、前記所定間隔ｄ１１は、スリーブ１４の厚みよりも厚く、例えば２倍程度の厚みに形成されている。
【００２０】
一方、上蓋１５の各コーナ部には、各側板４２の内側面から所定幅ｄ１２突出するように底面Ｌ字状に形成された当接部としての当接凸部６１が設けられている。これら当接凸部６１は、前記コーナ部凹部４６の裏面に形成され、その下端部は補強リブ５１及び係合凸部５４よりも下方に位置するように構成されている。さらに、上蓋１５の内方側に位置する当接凸部６１の一側面は、前記側板４２と同様に上方ほど僅かに狭まるテーパ形状に形成されている。即ち、前記当接凸部６１の一側面は、上方ほど上蓋１５の内方側へと僅かに突出するように形成された傾斜面６２となっており、スリーブ１４に上蓋１５を組付けたとき、スリーブ１４のコーナ部外側面（特にスリーブ１４のコーナ）が当接されるように構成されている。
【００２１】
上記パレットボックス１１の作用について以下に記載する。
このパレットボックス１１は、図２に示すように、パレット１２周縁部の係止板２７の内側面に四角筒状に組立てられたスリーブ１４の下端部外側面を当接させた後、そのスリーブ１４の上端部（上部開口部）に上蓋１５を被せて係止させることによって組立てられる。図４（ａ）に示すように、前記上蓋１５をスリーブ１４に係止させる際には、四角筒状に組立てられたスリーブ１４の各コーナ部を当接凸部６１の傾斜面６２に当接させることによって行われる。
【００２２】
このとき、前記上蓋１５の各側板４２は傾斜面６２よりも上蓋１５の外側方に位置するように構成されており、前記スリーブ１４は図４（ｂ）に示されるように各側壁３１の上端縁中央部が比較的容易に外側方に向かって膨出されるように構成されている。このため、スリーブ１４と側板４２中央部との間に形成された間隙７１内に側壁３１の上端縁中央部を滑らかに膨出させることによって、前記スリーブ１４の４つのコーナ部を対応する全ての当接凸部６１に当接させる際の位置合わせを容易かつ迅速に行うことができる。
【００２３】
さて、この組立て状態のパレットボックス１１は、必要に応じて図５に示すように固定バンド７２により固定した後、パレット１２下端部に開口されたフォーク挿入孔２４内にフォークリフト又はハンドリフトのフォークを挿入して運搬される。このとき、パレット１２の載置部１３上に載置されている載置物がずれたり荷崩れしたりした場合でも、載置物の周囲を取り囲むスリーブ１４に支えられて、載置物が載置部１３上から落下したりするおそれはない。
【００２４】
特に、前記載置物のずれや荷崩れを防止するためのスリーブ１４は、その上下端部がパレット１２及び上蓋１５により固定されていることから、前記載置物から加えられる荷重を受け止めながら、その変形が容易に抑えられている。さらに、このスリーブ１４のうち最も変形しやすい部位である側壁３１の中央部は、同側壁３１の上端縁中央部が上蓋１５に対して水平（膨出）方向に所定幅移動（膨出）可能となるように所定のクリアランスを有しつつ固定されていることから、ある程度の変形を許容することができるようになっている。このため、このスリーブ１４を変形させるように働く作用は、例えば図４（ｂ）に示されるように側壁３１の中央部が外側方に膨出することによって緩和され、スリーブ１４の不可逆的な変形や折曲がり（不定形の折曲がり）が著しく効果的に抑制される。
【００２５】
一方、このパレットボックス１１は、図５に示すように、組立て状態のパレットボックス１１の上端部（上蓋１５の上面）に、別のパレットボックス１１を載置して積み重ねられるようになっている。このとき、下方に位置するパレットボックス１１の天板４１の桁載置部４７上には、上方に位置するパレットボックス１１のパレット１２の桁２２，２３の下端面（底面）が載置されている。さらに、前記上方に位置するパレットボックス１１の各隅部桁２２の外側部下端は、下方に位置するパレットボックス１１のコーナ部突部４４及び側縁部突部４５の内側面と係合されている。また、前記上方に位置するパレットボックス１１の中央桁２３の前後端部は、下方に位置するパレットボックス１１の側縁部突部４５の内側面と係合されている。その結果、これら上下のパレットボックス１１同士は、容易に位置ずれしたりしない。
【００２６】
さらに、この積み重ね状態のパレットボックス１１においては、下方に位置するパレットボックス１１のスリーブ１４上端部と、上方に位置するパレットボックス１１のパレット１２の下端部とが極めて近接した位置に配置されている。即ち、前記スリーブ１４の上端部とパレット１２の下端部との間には、天板４１の厚みと補強リブ５１の突設高さとの和に相当する間隔が存在するのみである。このため、複数のパレットボックス１１を上下に積み重ねたときの全体の高さは容易に低減されている。
【００２７】
また、この積み重ね状態のパレットボックス１１においては、下方に位置するパレットボックス１１の上蓋１５にかかる荷重を容易かつ確実に受け止められる構造を有しており、重量の大きな載置物を載置したパレットボックス１１を上方に複数段積み重ねられるようになっている。即ち、このパレットボックス１１の上蓋１５を構成する天板４１の下面には、縦横に格子状に延びる多数の補強リブ５１が垂下されており、天板４１全体に渡ってほぼ均一な強度が付与されている。さらに、この天板４１の周縁部及び中央部には、それぞれ周縁部密リブ構造５２及び中央部密リブ構造５３が設けられており、上方に位置するパレットボックス１１から加えられる荷重に対して局所的な補強効果が発揮されている。特に、周縁部密リブ構造５２は上方に位置するパレットボックス１１の隅部桁２２を介して伝えられる荷重に対する補強を行い、中央部密リブ構造５３は中央桁２３を介して伝えられる荷重に対する補強を行うようになっている。
【００２８】
一方、このパレットボックス１１は、上蓋１５、スリーブ１４及びパレット１２を分離した後、スリーブ１４を図６に示されるように平板状に折り畳み、その折り畳まれたスリーブ１４をパレット１２の載置部１３上に載置し、さらに上蓋１５を同載置部１３上に被せることによって小さくコンパクトに収納される。図６に示すように、この小さくコンパクトに折り畳まれたパレットボックス１１の上端部（上蓋１５の上面）には、別のパレットボックス１１を載置して積み重ねることもできる。
【００２９】
上記実施形態によって発揮される効果について、以下に記載する。
・　実施形態のパレットボックス１１は、パレット１２と、そのパレット１２の載置部１３周縁に着脱可能に立設される四角筒状のスリーブ１４と、そのスリーブ１４の上部開口部を着脱可能に閉鎖する上蓋１５とから四角箱状に形成されている。さらに、このパレットボックス１１は、スリーブ１４の各コーナ部が上蓋１５の対応するコーナ部に対し固着（嵌着）されるように構成されているうえ、同スリーブ１４を構成する各側壁３１の上端縁中央部が上蓋１５に対して水平方向（膨出又はその逆方向）に所定幅移動することができるように構成されている。
【００３０】
即ち、このパレットボックス１１は、スリーブ１４と上蓋１５とが４カ所存在するコーナ部のみで嵌合固定されるようになっている。このため、このパレットボックス１１は、前記従来のハンガーコンテナーのように、トップの全周に設けられた溝と、胴体の上端縁全体とを全て同時かつ正確に位置合わせする必要がないことから、上蓋１５の組付け作業を迅速かつ容易に行うことができる。特に、前記スリーブ１４と上蓋１５とが係合される４カ所のコーナ部は、外観から一見してその位置を確認することができることから、極めて位置合わせに適しており、上蓋１５の組付け作業の作業性を著しく容易に高めることができる。また、取外し作業についても全く同様に容易に行うことができる。
【００３１】
さらに、このパレットボックス１１のスリーブ１４は、各側壁３１の上端縁中央部が上蓋１５に対し所定のクリアランス（間隔ｄ１１に相当する余裕）を有しつつ固定されるようになっており、ある程度の変形が許容され得ることから、スリーブ１４の不可逆的な変形を著しく効果的に防止することができる。また、スリーブ１４が比較的大きく変形した場合でも、上蓋１５がスリーブ１４の上部開口部から外れるおそれも低減させることができる。従って、このパレットボックス１１は、前記クリアランスを意図的に設けることによって、その組立て状態を容易に維持することができる。
【００３２】
これに対し、例えば前記従来のハンガーコンテナーでは、トップと胴体との間の係止状態にクリアランスが全く存在していなかった。このため、その内部に多くの衣類を詰め込んだ場合には、それら衣類が胴体の壁面を外方へと押圧し、胴体全体が平面菱形状に歪んでしまったり、壁面の中央部が膨出したりして、胴体の一部又は全体に無理な力が大きく加えられるおそれが高かった。このとき、このハンガーコンテナーでは、トップが胴体から外れたり、胴体が不可逆的に変形したりするおそれが極めて高かった。
【００３３】
・　このパレットボックス１１では、上蓋１５の各コーナ部に当接凸部６１が設けられているうえ、それら当接凸部６１の傾斜面６２が側板４２よりも上蓋１５の内方側に突出した位置に設けられている。即ち、当接凸部６１は、前記スリーブ１４（各側壁３１の上端縁中央部）と上蓋１５との間にクリアランスを形成するために設けられた構造物であり、著しく簡単な構成の構造物である。従って、このパレットボックス１１の上蓋１５に当接凸部６１を設けることによって、著しく簡単な構成で、上蓋１５の組付け作業を迅速かつ容易に行うことが可能となる。
【００３４】
・　当接凸部６１の内端部（先端部）に上方ほど上蓋１５の内方側へと突出する傾斜面６２を設けることによって、スリーブ１４の各コーナ部上端縁が傾斜面６２上を上下方向に滑りながら適正な位置へとガイドされるようになっていることから、スリーブ１４に対する上蓋１５の係止作業を容易に行うことができる。さらに、この傾斜面６２の中央部は、底面から見たとき滑らかな円弧状に形成されていることから、スリーブ１４の各コーナ部上端縁に対するガイド機能をより一層高めることができる。
【００３５】
・　上蓋１５の周縁部下面に、側壁３１の上端縁中央部と係合可能となるように構成された係合部としての側板４２を設けることによって、スリーブ１４の大幅な変形を容易に規制することができることから、不可逆的な変形に起因するスリーブ１４の破損を効果的に防止することができる。また、上蓋１５の周縁部下面に、側壁３１の上端縁中央部と係合可能となるように構成された係合部としての係合凸部５４を設けることによって、側壁３１の内外両方向への大幅な変形を容易に規制することができる。
【００３６】
・　このパレットボックス１１では、周縁部密リブ構造５２を構成する補強リブ５１の下端縁に係合凸部５４が垂下されている。前記周縁部密リブ構造５２が形成された部位の天板４１は、荷重が加えられたときの変形が起こりにくいことから、前記係合凸部５４はスリーブ１４の上端縁と確実に係合することができる。
【００３７】
・　桁載置部４７の周縁に上方に位置するパレットボックス１１のパレット１２の桁２２，２３の側部を係止するコーナ部突部４４及び側縁部突部４５を設けることによって、複数のパレットボックス１１を上下に安定状態で積み重ねることができる。特に、これらコーナ部突部４４及び側縁部突部４５を上蓋１５の周縁に沿うように設けることによって、上方に位置するパレットボックス１１のずれ落ちや落下を効果的に防止することができる。
【００３８】
なお、上記実施形態は、次のように変更して具体化することも可能である。
・　スリーブ１４を繰返し洗浄可能な合成樹脂板、例えば比較的硬質の発泡ポリプロピレンシート、又は発泡させないポリプロピレンシート（ソリッド状のシート）によって構成してもよい。
【００３９】
・　スリーブ１４を、段ボール型の合成樹脂板、いわゆる段プラによって構成すること。この段プラは、平坦面から構成される２枚のポリプロピレンシートの間に、波状又はハニカム状に形成されたハニカムシートを挟持固定させることによって、所定の厚みを有するように板状に形成されている。このように構成した場合、スリーブ１４の強度を高めることができる。
【００４０】
・　スリーブ１４は、折曲線がない部分を両手で把持して折曲げようとしたとき、湾曲させることが可能な比較的硬質の合成樹脂シート又は合成樹脂板（シート状）によって構成されていてもよい。
【００４１】
・　スリーブ１４の一部又は全体を透明又は半透明な合成樹脂により構成すること。このように構成した場合、載置部１３上の載置物を組立て状態のパレットボックス１１の外部から容易に視認することができる。
【００４２】
・　スリーブ１４の側壁３１に確認窓を設け、組立て状態のパレットボックス１１の外部から載置部１３上の載置物を容易に視認することができるように構成すること。
【００４３】
・　中央部密リブ構造５３を構成する補強リブ５１の両端部に係合凸部５４を設けること。
・　当接凸部６１の下端部を側板４２の下端部まで延設してもよい。
【００４４】
・　係合凸部５４を省略しても構わない。
・　当接凸部６１を省略するとともに、側板４２の両端部内側面に上下方向に延びる当接部としての当接リブを突設させること。なお、当接部の内端部としての前記当接リブの先端部（先端縁）は、上方ほど上蓋１５の内方側へと突出するように傾斜しているのが好ましい。このように構成した場合でも、当接凸部６１と全く同様にスリーブ１４のコーナ部を係止することができる。
【００４５】
・　当接凸部６１を省略するとともに、上蓋１５の各コーナ部内側面に当接部としてのＬ字板を突設させること。前記Ｌ字板は、水平方向に延びる平板状に形成されているうえ、底面Ｌ字状に形成されている。さらに、当接部の内端部としての前記Ｌ字板の先端縁は、上記実施形態の傾斜面６２に沿って延設されている。このように構成した場合でも、当接凸部６１と全く同様にスリーブ１４のコーナ部を係止することができる。
【００４６】
・　パレット１２、スリーブ１４及び上蓋１５を平面長四角形状に形成してもよい。
・　パレット１２を片面使用４方差しのスキッドタイプ又はヨーロピアンタイプのものに変更してもよい。
【００４７】
さらに、前記実施形態より把握できる技術的思想について以下に記載する。
・　前記スリーブを平板状に折り畳み可能となるように構成したことを特徴とする請求項１から請求項５のいずれかに記載のパレットボックス。
【００４８】
・　前記係合部を側板によって構成したことを特徴とする請求項２から請求項５のいずれかに記載のパレットボックス。
・　前記当接部を側板の端部内側面から突設させたことを特徴とする請求項２から請求項５のいずれかに記載のパレットボックス。
【００４９】
・　前記当接部を各側板の両端部内側面から突設させたことを特徴とする請求項２から請求項５のいずれかに記載のパレットボックス。
・　前記当接部の内端部をスリーブのコーナ部に対応する平断面Ｌ字状に形成させたことを特徴とする請求項２から請求項５のいずれかに記載のパレットボックス。
【００５０】
・　前記当接部の内端部をスリーブのコーナ部に対応する平断面Ｌ字状に形成するとともに、その中央部（屈曲部）を滑らかな弧状となるように形成したことを特徴とする請求項２から請求項５のいずれかに記載のパレットボックス。
【００５１】
・　前記パレットは側面及び底面にフォーク挿入孔が開口されたものであることを特徴とする請求項１から請求項５のいずれかに記載のパレットボックス。
・　前記天板は、その上面にパレットの桁を載置するための桁載置部が設けられているうえ、その桁載置部の周縁部にパレットの桁の側部を係止するための係止突部が設けられていることを特徴とする請求項２から請求項５のいずれかに記載のパレットボックス。
【００５２】
・　前記天板は、その上面にパレットの桁を載置するための桁載置部が設けられているうえ、その桁載置部の下方付近に周縁部密リブ構造が形成されていることを特徴とする請求項５に記載のパレットボックス。
【００５３】
・　前記天板は、その上面にパレットの桁を載置するための桁載置部が設けられているうえ、その桁載置部の周縁部にパレットの桁の側部を係止するための係止突部が設けられ、さらにその係止突部が上蓋の周縁に沿うように設けられていることを特徴とする請求項２から請求項５のいずれかに記載のパレットボックス。
【００５４】
・　前記天板は、その上面にパレットの桁を載置するための桁載置部が設けられているうえ、その桁載置部の周縁部にパレットの桁の側部を係止するための係止突部が設けられ、さらにその係止突部はパレットのフォーク挿入孔を避けるように設けられていることを特徴とする請求項２から請求項５のいずれかに記載のパレットボックス。このように構成した場合、パレットボックスを上下に積み重ねる作業を容易に行うことができる。
【００５５】
・　請求項１から請求項５のいずれかに記載のパレットボックスの上端部に設けられるパレットボックス用の上蓋であって、前記スリーブの各コーナ部を固着させるとともに、コーナ部間に位置するスリーブの上端縁が水平方向に所定幅移動可能となるように構成したことを特徴とするパレットボックス用の上蓋。このように構成した場合、パレットボックスにおける上蓋の脱着作業を迅速かつ容易に行うことができる。
【００５６】
【発明の効果】
以上詳述したように、この発明によれば、次のような効果を奏する。
請求項１から請求項５に記載の発明のパレットボックスによれば、上蓋の脱着作業を迅速かつ容易に行うことができる。
【図面の簡単な説明】
【図１】（ａ）は実施形態のパレットボックスを構成する上蓋の一部を示す底面図、（ｂ）は図１（ａ）の１ｂ−１ｂ線から見た上蓋を示す断面図。
【図２】実施形態のパレットボックスを示す分解斜視図。
【図３】（ａ）は図１（ａ）の３ａ−３ａ線から見た上蓋を示す断面図、（ｂ）は同じく３ｂ−３ｂ線から見た上蓋を示す断面図、（ｃ）は同じく３ｃ−３ｃ線から見た上蓋を示す断面図。
【図４】（ａ）及び（ｂ）はいずれも、実施形態のパレットボックスの一部を示す底断面図。
【図５】組立て状態のパレットボックスを積み重ねた様子を示す図。
【図６】折り畳み状態のパレットボックスを積み重ねた様子を示す図。
【符号の説明】
１１…パレットボックス、１２…パレット、１３…載置部、１４…スリーブ、１５…上蓋、４１…天板、４２…側板及び係合部としての側板、５１…補強リブ、５２…周縁部密リブ構造、５４…係合部及び係合凸部としての係合凸部、６１…当接部としての当接凸部、６２…当接部の内端部としての傾斜面、ｄ２，Ｄ２…間隔。
【図１】
2004010127.tif 000003
【図２】
2004010127.tif 000004
【図３】
2004010127.tif 000005
【図４】
2004010127.tif 000006
【図５】
2004010127.tif 000007
【図６】
2004010127.tif 000008